(57)【特許請求の範囲】
【請求項１】
清掃ヘッドと柄とを含む清掃具において、前記柄を前記清掃ヘッドと略平行に配置した状態で、前記柄をジョイント部を中心とする周方向に３６０度回転可能とする清掃ヘッドのジョイント構造であって、
前記清掃ヘッドの上面から突出して設けられた二股状のヘッド側ヨーク部と、前記柄の下端部に設けられた二股状の柄側ヨーク部とを、中心軸が直交する第１回動軸心部と第２回動軸心部とを備える連結部材を介して連結することで、上下方向及び周方向に回転可能な前記ジョイント部が形成されており、
前記ヘッド側ヨーク部を構成する一対のヨーク突部の間隔をおいて配置された各対向面は、頂部の両側に傾斜部を備える対称な山形状の外周縁部を有しており、
前記柄側ヨーク部を構成する一対のヨーク片は、前記一対のヨーク突部の前記対向面間の間隔幅と略同じ横幅を有しており、
前記柄を前記清掃ヘッドと略平行に配置した状態で、何れか一方の前記ヨーク片の側縁部は、何れか一方の前記ヨーク突部の前記対向面の、前記対称な山形状の外周縁部の傾斜部と当接可能となっており、
前記柄の前記清掃ヘッドと略平行に配置された状態での周方向への回転に伴って、何れか一方の前記ヨーク片の側縁部を、何れか一方の前記ヨーク突部の前記対向面の、前記対称な山形状の外周縁部の傾斜部に沿って乗り上げるようにして、又は滑り降りるようにして移動可能とした清掃ヘッドのジョイント構造。
【請求項２】
前記ヨーク突部の前記対向面の、前記対称な山形状の外周縁部の傾斜部は、凹状に湾曲する湾曲傾斜部となっている請求項１記載の清掃ヘッドのジョイント構造。
【請求項３】
前記連結部材の前記第１回動軸心部及び前記第２回動軸心部は、こられの中心軸が立体交差状に直交するように設けられている請求項１又は２記載の清掃ヘッドのジョイント構造。
【請求項４】
前記ヘッド側ヨーク部の前記一対のヨーク突部は、前記清掃ヘッドの上面中央部分から隆起する隆起部として設けられており、前記対向面は、前記清掃ヘッドの底面と垂直又は略垂直な面に沿って切り立った切立ち面となっている請求項１〜３の何れか１項記載の清掃ヘッドのジョイント構造。
【発明の詳細な説明】
【技術分野】
【０００１】
本発明は、清掃ヘッドのジョイント構造に関し、特に清掃ヘッドと柄とを含む清掃具における回転可能な清掃ヘッドのジョイント構造に関する。
【背景技術】
【０００２】
例えば床面の清掃を行う清掃具として、モップや清掃シート等が取り付けられる清掃ヘッドと、清掃ヘッドの上面にジョイント部を介して回転可能に連結される柄とからなる清掃具が種々知られている。これらの清掃具は、清掃ヘッドに対して柄を上下方向に回転させるのみならず、ジョイント部を中心とする周方向にも３６０度回転可能となっているものが一般的であり、これによって清掃ヘッドの清掃面を任意の方向に向けながら、床面等の清掃を効率良く行うことが可能になる（例えば、特許文献１参照）。
【０００３】
また、このような上下方向及び周方向にも柄を回転可能とするジョイント部の構造としては、例えば清掃ヘッドの上面中央部分に設けられた二股状のヘッド側ヨーク部と、柄の下端部に設けられた二股状の柄側ヨーク部とを、中心軸が直交する第１回動軸心部と第２回動軸心部とを備える連結部材を介して連結したものが一般に知られている（例えば、特許文献１参照）。
【先行技術文献】
【特許文献】
【０００４】
【特許文献１】実公平６−２１４２１号公報
【発明の概要】
【発明が解決しようとする課題】
【０００５】
清掃ヘッドに設けられたヘッド側ヨーク部と、柄の下端部に設けられた柄側ヨーク部とを、第１回動軸心部と第２回動軸心部とを備える連結部材を介して連結した従来のジョイント構造によれば、清掃ヘッドに対して柄が垂直に立設する状態から、相当の大きさの角度範囲に亘って柄を傾倒させた状態でも、清掃ヘッドを周方向に回転させながら床面等の清掃を効率良く行ってゆくことが可能であるが、柄をさらに傾倒させて、例えば柄を清掃ヘッドと略平行に配置した状態では、ヘッド側ヨーク部と柄側ヨーク部とが干渉しあったり、柄からの回転力をジョイント部に伝え難くなって、清掃ヘッドを周方向にスムーズに回転させることが困難になる。
【０００６】
したがって、例えばベッドの下等の高さの低い空間においては、清掃ヘッドを差し込むと柄が清掃ヘッドと略平行に配置されることから、例えばベッドの脚の廻りの床面を、清掃ヘッドを周方向に回転させながら清掃することが困難になるので、このような高さの低い空間に清掃ヘッドを差し込んだ場合でも、清掃ヘッドを周方向にスムーズに回転させるようにする新たな技術の開発が望まれている。
【０００７】
本発明は、柄を清掃ヘッドと略平行に配置した状態でも、ジョイント部を中心とする周方向に柄をスムーズに回転可能として、高さが低かったり巾の狭い空間においても、柄からの操作によって清掃ヘッドを周方向に回転させながら効率良く清掃させることのできる清掃ヘッドのジョイント構造を提供することを目的とする。
【課題を解決するための手段】
【０００８】
本発明は、清掃ヘッドと柄とを含む清掃具において、前記柄を前記清掃ヘッドと略平行に配置した状態で、前記柄をジョイント部を中心とする周方向に３６０度回転可能とする清掃ヘッドのジョイント構造であって、前記清掃ヘッドの上面から突出して設けられた二股状のヘッド側ヨーク部と、前記柄の下端部に設けられた二股状の柄側ヨーク部とを、中心軸が直交する第１回動軸心部と第２回動軸心部とを備える連結部材を介して連結することで、上下方向及び周方向に回転可能な前記ジョイント部が形成されており、前記ヘッド側ヨーク部を構成する一対のヨーク突部の間隔をおいて配置された各対向面は、頂部の両側に傾斜部を備える対称な山形状の外周縁部を有しており、前記柄側ヨーク部を構成する一対のヨーク片は、前記一対のヨーク突部の前記対向面間の間隔幅と略同じ横幅を有しており、前記柄を前記清掃ヘッドと略平行に配置した状態で、何れか一方の前記ヨーク片の側縁部は、何れか一方の前記ヨーク突部の前記対向面の外周縁部と当接可能となっており、前記柄の前記清掃ヘッドと略平行に配置された状態での周方向への回転に伴って、何れか一方の前記ヨーク片の側縁部を、何れか一方の前記ヨーク突部の前記対向面の外周縁部に沿って乗り上げるようにして、又は滑り降りるようにして移動可能とした清掃ヘッドのジョイント構造を提供することにより、上記目的を達成したものである。
【０００９】
なお、本発明において、前記柄を前記清掃ヘッドと略平行に配置した状態は、前記清掃ヘッドの清掃面に対して前記柄が略平行に配置された状態であり、また略平行には、前記清掃ヘッドの清掃面に対して前記柄が平行に延設する状態の他、例えば前記清掃ヘッドの清掃面に対して前記柄が１０〜２０度程度の緩い傾斜角度で斜めに延設する状態も含まれる。
【発明の効果】
【００１０】
本発明の清掃ヘッドのジョイント構造によれば、柄を清掃ヘッドと略平行に配置した状態でも、ジョイント部を中心とする周方向に柄をスムーズに回転可能として、高さが低かったり巾の狭い空間においても、柄からの操作によって清掃ヘッドを周方向に回転させながら効率良く清掃させることができる。
【図面の簡単な説明】
【００１１】
【図１】本発明の好ましい一実施形態に係る清掃ヘッドのジョイント構造を採用した清掃具の全体構成を説明する斜視図である。
【図２】本発明の好ましい一実施形態に係る清掃ヘッドのジョイント構造の構成を説明する要部斜視図である。
【図３】本発明の好ましい一実施形態に係る清掃ヘッドのジョイント構造の構成を説明する要部分解斜視図である。
【図４】本発明の好ましい一実施形態に係る清掃ヘッドのジョイント構造の構成を説明する、図２のＡ方向から視た要部拡大斜視図である。
【図５】本発明の好ましい一実施形態に係る清掃ヘッドのジョイント構造の構成を説明する部分断面図及び要部拡大断面図である。
【図６】（ａ）〜（ｃ）は、清掃ヘッドに対して柄を周方向に回転させる状況を説明する斜視図である。
【図７】（ａ）〜（ｇ）は、清掃ヘッドに対して柄を周方向に回転させる状況を説明する斜視図である。
【発明を実施するための形態】
【００１２】
本発明の好ましい一実施形態に係る清掃ヘッドのジョイント構造１０は、例えば図１に示す清掃ヘッド１１と柄１２とからなる清掃具１３において、清掃ヘッド１１と柄１２とを回転可能に連結するジョイント部１４の構造として採用されたもである。清掃具１３は、清掃ヘッド１１の底面の清掃面１５を覆って着脱交換可能に使い捨て用の清掃シート１６を取り付け、例えば床面を被清掃面として柄１２を把持した操作によって清掃作業を行うものである。また、本実施形態の清掃ヘッドのジョイント構造１０は、例えばベットの下等の、高さの低い空間においても、柄１２からの操作によって清掃ヘッド１１を周方向に回転させながら効率良く清掃させる機能を備えている。
【００１３】
本実施形態の清掃ヘッドのジョイント構造１０は、清掃ヘッド１１と柄１２とを含む清掃具１３において、図２に示すように、柄１２を清掃ヘッド１１と略平行に配置した状態で、柄１２をジョイント部１４を中心とする周方向に３６０度回転可能とするジョイント構造であって、図３及び図４にも示すように、清掃ヘッド１１の上面１１ａから突出して設けられた二股状のヘッド側ヨーク部１７と、柄１２の下端部に設けられた二股状の柄側ヨーク部１８とを、中心軸Ｘ，Ｙが直交する第１回動軸心部１９ａと第２回動軸心部１９ｂとを備える連結部材１９を介して連結することで、上下方向及び周方向に回転可能なジョイント部１４が形成されており、ヘッド側ヨーク部１７を構成する一対のヨーク突部１７ａの間隔をおいて配置された各対向面１７ｂは、頂部２０ａの両側（本実施形態では矩形平面形状を有する清掃ヘッド１１の両長辺側）に傾斜部２０ｂを備える対称な山形状の外周縁部２０を有しており、柄側ヨーク部１８を構成する一対のヨーク片１８ａは、一対のヨーク突部１７ａの対向面１７ｂ間の間隔幅ｓと略同じ横幅ｂを有している（図４参照）。柄１２を清掃ヘッド１１と略平行に配置した状態で（図２参照）、何れか一方のヨーク片１８ａの側縁部２１は、何れか一方のヨーク突部１７ａの対向面１７ｂの外周縁部２０と当接可能となっており、柄１２の清掃ヘッド１１と略平行に配置された状態での周方向Ｒへの回転に伴って、何れか一方のヨーク片１８ａの側縁部２１を、何れか一方のヨーク突部１７ａの対向面１７ｂの外周縁部２０の傾斜部２０ｂ及び頂部２０ａに沿って、当接状態を保持しつつスライド移動させるようになっている（図６、図７参照）。
【００１４】
また、本実施形態では、ヨーク突部１７ａの対向面１７ｂの外周縁部２０の傾斜部２０ｂは、凹状に湾曲する湾曲傾斜部となっており、連結部材１９の第１回動軸心部１９ａ及び第２回動軸心部１９ｂは、こられの中心軸Ｘ，Ｙが立体交差状に直交するように設けられている（図３、図４参照）。
【００１５】
さらに、本実施形態では、ヘッド側ヨーク部１７の一対のヨーク突部１７ａは、清掃ヘッド１１の上面中央部分から隆起する隆起部２２として設けられており、対向面１７ｂは、清掃ヘッドの底面と略垂直な面に沿って切り立った切立ち面２２ａとなっている。
【００１６】
本実施形態では、清掃具１３を構成する清掃ヘッド１１は、長辺が２００〜３００ｍｍ程度、短辺が５０〜１５０ｍｍ程度の大きさの矩形平面形状を有しており、例えばプラスチック製の平板状部材であるヘッド本体１１ｂの下面を覆って、弾性変形可能なベース体１１ｃを取り付けて構成される。弾性変形可能なベース体１１ｃの下面を清掃面１５として、当該清掃面１５を覆って清掃シート１６が装着される。また、清掃ヘッド１１のヘッド本体１１ｂによる上面１１ａには、四隅の部分に、係着スリットが形成された柔軟な弾性材料からなる公知のシート保持部２３が設けられている。図１に示すように、ヘッド本体１１ｂの下面側に一体として取り付けられたベース体１１ｃの下面（清掃面）１５を下方から覆うようにして、清掃シート１６を清掃ヘッド１１に巻き付けた後に、清掃シート１６の端部を、清掃ヘッド１１の上面１１ａのシート保持部２３の係着スリットに押し込んで係着することにより、清掃シート１６を、清掃ヘッド１１に着脱交換可能に容易に装着することができる。
【００１７】
清掃ヘッド１１のヘッド本体１１ｂの上面１１ａには、これの中央部分を隆起させて、一対のヨーク突部１７ａによるヘッド側ヨーク部１７が、一体として設けられている。このヘッド側ヨーク部１７を含むジョイント部１４によって、柄１２が、清掃ヘッド１１に対して上下方向Ｖのみならず周方向Ｒにも回転可能に連結される。
【００１８】
なお、本実施形態では、清掃面１５を覆って清掃ヘッド１１に取り付けられて塵埃や汚れ等を付着させる清掃シート１６としては、例えばオレフィン系極細繊維不織布等の公知の各種の清掃シートを用いることができる。
【００１９】
清掃ヘッド１１と共に清掃具１３を構成する柄１２は、図１に示すように、細長いロッド状の柄本体２４と、柄本体２４の上部に一体として連結固定される把持部２５とからなる。
【００２０】
柄本体２４、例えばアルミ合金やＡＢＳ（アクリルニトリルブタジエンスチレン）樹脂からなる複数のパイプ部材２４ａを、連結部２６を介して軸方向に連結することで、把持部２５を含む柄１２の全体が、清掃作業を行うのに適した例えば１００〜１５０ｃｍ程度の長さとなるように組み立てられる。柄本体２４（柄１２）の下端部には、一対のヨーク片１８ａによる柄側ヨーク部１８が一体として設けられている。柄本体２４の上端部には、パイプ部材２４ａの連結部２６と略同様の構造を有するジョイント部２７を介して、把持部２５が着脱可能に取り付けられる。
【００２１】
把持部２５は、例えばＡＢＳ樹脂からなる成形品であって、手で把持しやすい太さ及び外形の略円柱形状を備える。把持部２４の上端部には、ゴム硬度が４０〜８０（ＪＩＳ  Ｋ  ６２５３で規定する、デュロメータタイプＡ（ショアＡ）で測定した値）の比較的柔らかい弾性材料として、好ましくは、エチレン酢酸ビニル（ＥＶＡ）樹脂からなる透明又は半透明な弾性部材であるエンドキャップ２８が装着されており、例えば柄１２を壁に立てかけた際の安定性を向上させると共に、把持部２４を把持して行う清掃具１３の操作性を向上させることが可能になる。
【００２２】
そして、本実施形態の清掃ヘッドのジョイント構造１０は、清掃ヘッド１１の上面１１ａに設けられた二股状のヘッド側ヨーク部１７と、柄１２の下端部に設けられた二股状の柄側ヨーク部１８と、これらのヨーク部１７，１８の間に介在して設けられた連結部材１９とからなる。
【００２３】
ヘッド側ヨーク部１７は、本実施形態では、図２〜図４に示すように、清掃ヘッド１１の上面１１ａの中央部分から野球のマウンド状に隆起して設けられた、裾野部分が拡った横長の隆起部２２の長手方向の中央部を、例えば１０〜３０ｍｍ程度の切欠き幅で切り欠いた形状を有する。これによってヘッド側ヨーク部１７は、清掃ヘッド１１の清掃面１５と略垂直な切立ち面２２ａを対向面１７ｂとして、切欠き幅に相当する間隔幅ｓをおいて配置された、一対の対称形状のヨーク突部１７ａを備える。
【００２４】
ヘッド側ヨーク部１７の一対の対称形状のヨーク突部１７ａが、裾野部分が拡った隆起部２２の一部として設けられることにより、ジョイント部１４を介して柄１２から清掃ヘッド１１に負荷される清掃時の荷重を、清掃ヘッド１１によって安定した状態で支持させることが可能になる。
【００２５】
また、本実施形態では、間隔幅ｓをおいて配置された一対のヨーク突部１７ａの対向面１７ｂの間隔部分に架設されて、第１回転ピン部材２９が、各対向面１７ｂの上部中央部分に両端部を各々一体接合して設けられている。第１回転ピン部材２９には、連結部材１９の第１回動軸心部１９ａが、回転可能に装着係止される。
【００２６】
さらに、本実施形態では、一対のヨーク突部１７ａの対向面１７ｂの外周縁部２０は、円弧形状に面取りされた頂部２０ａから、緩やかな凹状に湾曲する両側の湾曲傾斜部２０ｂを介して、その裾部が清掃ヘッド１１の上面１１ａに滑らかに摺り付けられる対称な山形形状を有している。後述するように、柄１２を、清掃ヘッド１１と略平行に配置した状態で周方向Ｒに回転させた際に、ヨーク突部１７ａの山形状の外周縁部２０に沿って乗り上げるようにして、又は滑り降りるようにして、柄側ヨーク部１８のヨーク片１８ａの側縁部２１が、当該外周縁部２０との当接状態を保持しつつ移動可能となっている。
【００２７】
柄側ヨーク部１８は、本実施形態では、柄１２の下端部において、柄１２の端面側から軸方向に向けて相当の幅の貫通溝３０を形成することで、二股状の柄側ヨーク部１８を形成し、その先端縁部が円弧状に面取りされると共に外周面が緩やかな湾曲凸面となった一対の帯板形状のヨーク片１８ａを、貫通溝３０を挟んだ両側に備える。
【００２８】
貫通溝３０の上部には、前記ヨーク突部１７ａの頂部部分の外形と略同形状の凹部３０ａが設けられており、柄１２を清掃ヘッド１１に略平行に倒した際に、該凹部３０ａにヨーク突部１７ａの頂部部分がはまりこみ、高さが低い空間でも清掃可能とすることができる。
【００２９】
また、本実施形態では、一対のヨーク片１８ａの間の貫通溝３０の中に架設されて、第２回転ピン部材３１が、各ヨーク片１８ａｂの内側面に両端部を各々一体接合して設けられている。第２回転ピン部材３１には、連結部材１９の第２回動軸心部１９ｂが、回転可能に装着係止される。
【００３０】
さらに、本実施形態では、一対のヨーク片１８ａは、各々、ヘッド側ヨーク部１７の一対のヨーク突部１７ａの対向面１７ｂ間の間隔幅ｓと、略同じであってこれよりも僅かに小さな横幅ｂを有している（図４参照）。これによって、ヨーク片１８ａの側縁部２１は、柄１２が清掃ヘッド１１と略平行に配置された際に、ヨーク突部１７ａの山形状の外周縁部２０と近接して配置されることになる。またこの状態から、柄１２を清掃ヘッド１１に対して相対的に周方向Ｒに回転させることで、ヨーク片１８ａの側縁部２１は、ヨーク突部１７ａの山形状の外周縁部２０に沿って、当該外周縁部２０との当接状態を保持しつつ例えば乗り上げるようにしながら移動する（図６（ａ）〜（ｃ）参照）。
【００３１】
ヘッド側ヨーク部１７と柄側ヨーク部１８との間に介在して設けられる連結部材１９は、本実施形態では、例えばプラスチック製の成形品であって、図３に示すように、中心軸Ｘ，Ｙが立体交差状に直交する第１回動軸心部１９ａと第２回動軸心部１９ｂとを備える。図４及び図５にも示すように、第１回動軸心部１９ａは、第２回動軸心部１９ｂが接合される部分とは第１回転ピン部材２９を挟んで反対側の部分が装着口３２として帯状に切り欠かれた略円筒形状を有しており、略円筒形状の中空内部の中心軸が、第１回動軸心部１９ａの中心軸Ｘとなっている。
【００３２】
連結部材１９の第２回動軸心部１９ｂは、第１回動軸心部１９ａの装着口３２が設けられた部分とは反対側の外周面から、径方向外側に突出して設けられた厚板状の部分である。第２回動軸心部１９ｂは、第１回動軸心部１９ａとの接合部とは反対側の部分の周縁部から凹状に切り欠かれた、装着凹部３３を有している。この装着凹部３３の中心軸が、第２回動軸心部１９ｂの中心軸Ｙとなっている。
【００３３】
ここで、連結部材１９における第１回動軸心部１９ａの中心軸Ｘと第２回動軸心部１９ｂの中心軸Ｙとが立体交差する位置における、中心軸Ｘと中心軸Ｙとの離間長さは、７〜１５ｍｍ程度となっていることが好ましい。立体交差する位置における中心軸Ｘと中心軸Ｙとの離間長さを７〜１５ｍｍ程度とすることにより、ヨーク片１８ａの側縁部を、ヨーク突部１７ａの対向面１７ｂの外周縁部２０に沿わせることができる操作性の優れたコンパクトな清掃ヘッドのジョイント構造１０を得ることが可能になる。
【００３４】
本実施形態では、例えば連結部材１９の第２回動軸心部１９ｂの装着凹部３３を、柄側ヨーク部１８の一対のヨーク片１８ａの間の第２回転ピン部材３１に無理押しながら押し込んで、第２回動軸心部１９ｂを第２回転ピン部材３１に回転可能に装着することで、連結部材１９を柄１２の下端部に取り付ける。しかる後に、連結部材１９の第１回動軸心部１９ａの装着口３２を、ヘッド側ヨーク部１７の一対のヨーク突部１７ａの対向面１７ｂの間の第１回転ピン部材２９に無理押しながら押し込んで、第１回動軸心部１９ａを第１回転ピン部材２９に回転可能に装着することで、ジョイント部１４（ジョイント構造１０）が形成されて、柄１２の下端部が、清掃ヘッド１１の上面１１ａの中央部分に回転可能に連結される。
【００３５】
これによって、清掃ヘッド１１に対して柄１２が垂直に立設する状態から、相当の大きさの角度範囲に亘って柄１２を傾倒させた状態でも、清掃ヘッド１２を周方向に回転させながら床面等の清掃を効率良く行ってゆくことが可能になる。
【００３６】
また、上述の構成を備える本実施形態の清掃ヘッドのジョイント構造１０によれば、柄１２を清掃ヘッド１１と略平行に配置した状態でも、ジョイント部１４を中心とする周方向に柄１２をスムーズに回転可能として、高さが低かったり巾の狭い空間においても、柄１２からの操作によって清掃ヘッド１１を周方向に回転させながら効率良く清掃させることが可能になる。
【００３７】
すなわち、本実施形態によれば、ヘッド側ヨーク部１７を構成する一対のヨーク突部１７ａの各対向面１７ｂは、頂部２０ａの両側に傾斜部２０ｂを有する対称な山形状の外周縁部２０を有しており、柄側ヨーク部１８を構成する一対のヨーク片１８ａは、一対のヨーク突部１７ａの対向面１７ｂ間の間隔幅ｓと略同じ横幅ｂを有しており、柄１２を清掃ヘッド１１と略平行に配置した状態で、何れか一方のヨーク片１８ａの側縁部２１は、何れか一方のヨーク突部１７ａの対向面１７ｂの外周縁部２０と当接可能となっている。
【００３８】
これによって、例えば図２に示すような、柄１２を清掃ヘッド１１の清掃面１５と略平行に配置すると共に、清掃ヘッド１１の長辺と直角な方向に延設させた状態から、柄１２を清掃ヘッド１１に対して相対的に周方向Ｒに回転させることで、図６（ａ）〜（ｃ）及び図７（ａ）〜（ｇ）に示すように、この回転に伴って、一方のヨーク片１８ａの側縁部２１は、一方のヨーク突部１７ａの対向面１７ｂの山形状の外周縁部２０における裾部と近い部分に当接した後に、柄１２をねじるようにして回転させながら、当該外周縁部２０の湾曲傾斜部２０ｂに沿って、当該外周縁部２０との当接部３４（図６（ａ），（ｂ）参照）における当接状態を保持したまま、頂部２０ａに向って乗り上げるようにしつつスムーズに移動してゆくことが可能になる（図６（ａ）〜（ｃ）参照）。
【００３９】
また、ヨーク片１８ａの側縁部２１がヨーク突部１７ａの外周縁部２０に沿って乗り上げて、柄側ヨーク部１８が山形状の外周縁部２０の頂部２０ａに達した状態では、柄１２は、図２に示す清掃ヘッド１１の長辺と直角な方向に延設する状態から、図７（ｇ）に示すように、９０°ねじられると共に、清掃ヘッド１１の長辺と平行な方向に延設する状態となる。この状態から、柄１２をさらにねじるようにしながら、清掃ヘッド１１に対して柄１２を相対的に周方向Ｒにさらに回転させることにより、柄側ヨーク部１８の他方のヨーク片１８ａの側縁部２１が、一方のヨーク突部１７ａの対向面１７ｂの山形状の外周縁部２０における頂部２０ａと近い部分に当接した後に、当該外周縁部２０の湾曲傾斜部２０ｂに沿って、当該外周縁部２０との当接部３４における当接状態を保持したまま、裾部に向って滑り降りるようにしつつスムーズに移動してゆくことが可能になる。
【００４０】
なお、便宜上、柄１２を清掃ヘッド１１に対して周方向Ｒに回転させる説明をしたが、上記のように、柄１２の回転は清掃ヘッド１１に対する相対的なものであり、実際の清掃時の操作では、柄１２に対して清掃ヘッド１１が周方向Ｒに回転するのである。
【００４１】
このように、柄１２を清掃ヘッド１１の清掃面１５と略平行に配置した状態でも、清掃ヘッド１１に対して柄１２を相対的に周方向Ｒに１８０°容易に回転させることができると共に、反転させた同様の操作でさらに３６０°容易に回転させることができるので、例えばベットの下等の、高さの低い空間に清掃ヘッド１１を差し込んだ場合でも、ねじりを加えた柄１２からの操作によって、清掃ヘッド１１を周方向に回転させながら、清掃具１３を用いて効率良く床面等の清掃を行うことが可能になる。
【００４２】
なお、本発明は上記実施形態に限定されることなく種々の変更が可能である。例えば、ヨーク突部の対向面の外周縁部の傾斜部は、凹状に湾曲する湾曲傾斜部となっている必要は必ずしも無く、頂部は、円弧形状に面取りされている必要は必ずしも無い。ヨーク突部の対向面の外周縁部は、ヨーク片の側縁部を当接させてスムーズに移動させる形状であれば良く、傾斜部は、直線状の傾斜部等であっても良い。また、ヘッド側ヨーク部の一対のヨーク突部は、隆起部として設けられている必要は必ずしもなく、突リブ状に設けられていても良い。
【符号の説明】
【００４３】
１０  ジョイント構造
１１  清掃ヘッド
１１ａ  清掃ヘッドの上面
１２  柄
１３  清掃具
１４  ジョイント部
１５  清掃面
１６  清掃シート
１７  ヘッド側ヨーク部
１７ａ  ヨーク突部
１７ｂ  ヨーク突部の対向面
１８  柄側ヨーク部
１８ａ  ヨーク片
１９  連結部材
１９ａ  第１回動軸心部
１９ｂ  第２回動軸心部
２０  ヨーク突部の対向面の外周縁部
２０ａ  外周縁部の頂部
２０ｂ  外周縁部の傾斜部（湾曲傾斜部）
２１  ヨーク片の側縁部
２２  隆起部
２２ａ  切立ち面
２９  第１回転ピン部材
３１  第２回転ピン部材
３４  当接部
Ｒ    周方向
Ｖ    上下方向
ｓ    一対のヨーク突部の間隔幅
ｂ    ヨーク片の横幅
Ｘ    第１回動軸心部の中心軸
Ｙ    第２回動軸心部の中心軸
【図１】
0005631139.tif 000002
【図２】
0005631139.tif 000003
【図３】
0005631139.tif 000004
【図４】
0005631139.tif 000005
【図５】
0005631139.tif 000006
【図６】
0005631139.tif 000007
【図７】
0005631139.tif 000008